(57)【要約】【課題】  現に使用されている生産者等の特徴的なマークを活用して、これを縮小した識別マークを容器に一連に印刷表示することにより、容器を見ただけで一見して生産者や販売者等の商品提供者の識別と認識を可能なものとし、購買者が安全な商品として安心して購入することができるようにした容器の提供。【解決手段】  容器本体１と蓋体２とがその一側部でヒンジ部３を介して折重ね自在に一体的に連結形成されている樹脂シート製包装用容器であって、容器本体１と蓋体２とまたはヒンジ部３との何れか、またはそれぞれの隣り合う２部分若しくは３部分に連なる形態で、被包装物の生産者・販売者または取り扱い業者若しくは内容物補償責任者等を表示する特定の小形マークＭが連続表示されている構成とする。【選択図】図１
0003156630.tif 000002
【実用新案登録請求の範囲】
【請求項１】
容器本体(1)と蓋体(2)とがその一側部でヒンジ部(3)を介して折重ね自在に一体的に連結形成されている樹脂シート製包装用容器であって、容器本体(1)と蓋体(2)とまたはヒンジ部(3)との何れか、またはそれぞれの隣り合う２部分若しくは３部分に連なる形態で、被包装物の生産者・販売者または取り扱い業者若しくは内容物補償責任者等を表示する特定の小形マーク(M)が連続表示されている合成樹脂製包装用容器。
【考案の詳細な説明】
【技術分野】
【０００１】
本考案は、樹脂シート製膨出成形容器であって、容器本体と蓋体とがその一側部でヒンジ部を介して折り畳み自在に一体的に連結形成されている合成樹脂製包装用容器に関するものである。
【背景技術】
【０００２】
従来から、この種の樹脂シート製膨出成形容器は、例えば容器内に鶏卵等の内容物を収納した後に、容器本体と蓋体との遊端側の接合縁どうしを、背面側に接着剤を塗布した封緘テープを使用して封緘されている。
【０００３】
また、このような容器は、容器内に内容物を収容させた後、機械装置によって自動的に封緘する手段がとられている。このテープは、通常、容器の接合縁の長手方向の一端側または両端に突出する摘み部分＝耳部を形成してあり、開封時にこの耳部を指先で摘んで手前方向に引きながら、引き剥がし方向に引張ってテープを剥離しながら開封するようにしてある。このことは、後記特許文献２に示されている通りである。
【０００４】
従来のこの種の封緘テープは、無着色透明または単一色半透明に着色された無地のものや、特段の意味をもたない模様が印刷されたり、例えば「テープのはしをつまみ、手前にゆっくり引いてください」というような、注意事項なり取扱い説明のような印刷をしたものも提案されている。しかしながら、これらの容器は、封緘状体の外観だけでは、包装物の生産者名や、販売者名などの情報を把握することができないというのが現状である。
【０００５】
他方、容器そのものは、無着色透明であるから、容器内に内容物を収容させた後、前記封緘テープで封緘された容器も、容器に貼着されたラベルの表示を読まない限り、容器の外観上からは、包装物の生産者名や、販売者名などの情報を直ちに把握することはできないのが現状である。
【０００６】
容器の外観上から被包装物の内容を確認することが可能としてある唯一の先行手段は、下記特許文献１に見られるように、容器内に収容されている鶏卵のサイズを、容器自体にサイズ別の色彩表示を施すことによって、外部からの色彩認識によって識別確認ができるようにした技術手段を挙げることができる。
【先行技術文献】
【特許文献】
【０００７】
【特許文献１】特許第４１１７６４７号公報
【特許文献２】特許第２７０６９１５号公報
【考案の概要】
【考案が解決しようとする課題】
【０００８】
本考案は、所要商品を収容する合成樹脂製の容器それ自体に、購買者間に既に周知されている生産者や販売者等の特徴的なマークを使用して、容器自体に小さく連続印刷しておくことによって、容器そのものの外観に大きな変化を与えることなく、自他商品の識別を可能とし、購買者が容器を見ただけで一見して包装物の生産者や販売者等の認識をすることができるようにし、具体的には、成形前の合成樹脂シート素材に対して、予め決定した所要箇所に、所要大きさの識別マークを印刷しておくことによって、成形後の容器の予め予定した箇所に、所要の小さなマークが多数列状に表示されている容器を形成して、容器を見ただけで、購買者が商品の信用性を知得して安心して商品を購入することができるようにした容器を提供しようとするものである。
【課題を解決するための手段】
【０００９】
この目的を達成するために本考案では次の技術的手段を講じた。即ち、本考案にかかる合成樹脂製包装用容器の構成は、容器本体１と蓋体２とがその一側部でヒンジ部３を介して折重ね自在に一体的に連結形成されている樹脂シート製包装用容器であって、容器本体１と蓋体２とまたはヒンジ部３との何れか、またはそれぞれの隣り合う２部分若しくは３部分に連なる形態で、被包装物の生産者・販売者または取り扱い業者若しくは内容物補償責任者等を表示する特定の小形マークＭが連続表示されている構成としたものである。
【考案の効果】
【００１０】
本考案はこのような構成としたものであるから、例えば容器内に鶏卵を包装した容器を外観したとき、被包装物の生産者・販売者または取り扱い業者若しくは内容物補償責任者等を表示する特定の小形マークＭの連続表示を見ることによって、購買者は内部に収容してある鶏卵の生産者や販売者等を直ちに認識することができ、その表示による生産者や販売者等の信用によって購買者が安心感をもって商品の購入ができるという効果を有する。
【図面の簡単な説明】
【００１１】
【図１】第１実施例の容器の封緘状態を示す斜視図。
【図２】図１の一部切欠平面図。
【図３】図２の蓋体の接合縁部分の拡大平面図。
【図４】第２及び第３実施例を示す容器の平面図。
【図５】第４及び第５実施例を示す容器の平面図。
【図６】第６及び第７実施例を示す容器の平面図。
【考案を実施するための形態】
【００１２】
以下、本考案の第１実施例を図面に基づいて説明する。この第１実施例として図１〜３に示した容器Ａは、合成樹脂シート素材を用いて容器本体１と蓋体２とがその一側部においてヒンジ部３を介して折重ね自在に一体的に連結成形してある合成樹脂シート製の膨出容器である。
【００１３】
より詳しくは、図１及び図２に示した該第１実施例の鶏卵包装用容器Ａは、容器本体１に形成してある合計１０個の鶏卵収容凹部１１のそれぞれに鶏卵を個別に収納させた後、蓋体２をヒンジ部３から折り曲げて容器本体１の上に折り重ねて、これら容器本体１の遊端側の接合縁４ａと、蓋体２の遊端側の接合縁４ｂとを重合させた状態として、この重合させた上下の接合縁４ａ，４ｂどうしを、透明無地の封緘テープ５で外側から断面Ｕの字状に挟み込んで接着させることにより封緘したものであって、その封緘状態を示したものである。
【００１４】  而して、該実施例に示した鶏卵包装用の容器Ａは、本考案にいうところの取扱者等が使用している周知マークを小さく表示した小形マークＭを、図３にその拡大平面図を示したように、（公序良俗違反につき、不掲載）特徴マークとして全国で使用され一般に周知されているところの、楕円形の中に全農と表示した特徴のある（公序良俗違反につき、不掲載）マークＭを、同容器Ａの蓋体２における遊端側の接合縁４ｂに、同接合縁４ｂの長手方向に沿って多数連続印刷してある構成としたものである。
【００１５】  この図１及び図２に示した封緘テープ５は、前記のように透明無地のテープを使用しているので、接合縁４ｂの長手方向に沿って連続印刷してある（公序良俗違反につき、不掲載）マークＭは、透明無地のテープ５を透過して鮮明に見ることができるようになっている。
【００１６】
この第１実施例を示した図１及び図２において記載してある符号５ａは、容器の開封時において封緘テープ５を除去する場合に、指先で摘んで開封し易くするために、容器Ａの外側にまで延出させてある封緘テープ５の摘み部である。
【００１７】  図４は第２実施例と第３実施例とを、一つの図面に示したものである。即ち、この図４に示した容器Ａは、容器本体１における各仕切り１２で区切られた１０個の鶏卵収容凹部１１と同様に、蓋体２にも仕切り部２２で仕切られた鶏卵の上半部を個々に覆う１０個の鶏卵覆い凹部２１を形成してある容器であって、第２実施例は、前記第１実施例に示した（公序良俗違反につき、不掲載）マークＭと同じマークＭを、蓋体２における遊端側の接合縁４ｂに、同接合縁４ｂの長手方向に沿って全長に亘って多数連続印刷してある構成としたものである。また、第３実施例は、この図示容器Ａにおけるヒンジ部３に、同様のマークＭを、このヒンジ部３の長手方向に沿って全長に亘って多数連続印刷してある構成としたものである。これらのマークＭの表示は、前記接合縁４ｂとヒンジ部３との両方に印刷形成してあるものとしてもよい。
【００１８】
図５は前記第２実施例の容器と同様構造の容器Ａを対象として、第４実施例と第５実施例とを示したもので、第４実施例は、蓋体２における前後２列(図５において上下２列)に形成された１列５個の鶏卵覆い凹部２１を通る線上に、蓋体２の長手方向に沿って全長に亘って前記と同じマークＭを一連に多数連続印刷してある構成としたものである。また、第５実施例は、蓋体２における前後２列(図５において上下２列)に形成された１列５個の鶏卵覆い凹部２１の中間に位置する、仕切り部２２を通る線上に、蓋体２の長手方向に沿って全長に亘って前記と同じマークＭを一連に多数連続印刷してある構成としたものである。これらのマークＭの表示は、第４実施例の場合、前後２列の内の１列のみに形成してあるものとしてもよく、前記凹部２１を通る線上と仕切り部２２を通る線上との両方に印刷形成してあるものとしてもよい。
【００１９】
図６は前記第２乃至第５実施例の容器と同様構造の容器Ａを対象として、第６実施例と第７実施例とを示したものである。ここに示した第６実施例は、容器本体１と蓋体２とにおいて前後方向２段(図６において上下方向２段)に形成されたそれぞれ２個宛の鶏卵収容凹部１１と鶏卵覆い凹部２１とを通る線上において、ヒンジ部３を含めて、容器本体１と蓋体２との前後方向の全幅に亘って前記と同じマークＭを一連に多数連続印刷してある構成としたものである。また、第７実施例は、容器本体１を除いて、蓋体２における前後方向２段に形成された２個の鶏卵覆い凹部２１を通る線上に、ヒンジ部３を含めて、蓋体２の前後方向に沿って全幅に亘って前記と同じマークＭを一連に多数連続印刷してある構成としたものである。これらのマークＭの表示は、それぞれ一列のみに形成してあるものとして図示したが、複数列または全列に形成してあるものとしてあるものとして実施してもよい。
【００２０】
以上、本考案の代表的と思われる実施例について説明したが、本考案はこれらの各実施例に示したマークＭの表示手段のみに限定されるものではなく、前記図５や図６に示した実施例にあっては、容器Ａの長手方向に対して傾斜する方向に形成してあるものとして実施する等、適宜に表示形態を変えて実施してもよいことはいうまでもない。
【符号の説明】
【００２１】
１  容器本体
２  蓋体
３  ヒンジ部
４ａ  容器本体の接合縁
４ｂ  蓋体の接合縁
５  封緘テープ
Ｍ  マーク
0003156630.tif 000003
【手続補正書】
【提出日】平成21年11月6日(2009.11.6)
【手続補正１】
【補正対象書類名】明細書
【補正対象項目名】００１４
【補正方法】変更
【補正の内容】
【００１４】
而して、該実施例に示した鶏卵包装用の容器Ａは、本考案にいうところの取扱者等が使用しているマークを小さく表示した小形マークＭを、図３に示す拡大平面図のように、ここでは出願人が使用する特徴マークＭを、同容器Ａの蓋体２における遊端側の接合縁４ｂに、同接合縁４ｂの長手方向に沿って多数連続印刷してある構成としたものである。
【手続補正２】
【補正対象書類名】明細書
【補正対象項目名】００１５
【補正方法】変更
【補正の内容】
【００１５】
この図１及び図２に示した封緘テープ５は、前記のように透明無地のテープを使用しているので、接合縁４ｂの長手方向に沿って連続印刷してある特徴マークＭは、透明無地のテープ５を透過して鮮明に見ることができるようになっている。
【手続補正３】
【補正対象書類名】明細書
【補正対象項目名】００１７
【補正方法】変更
【補正の内容】
【００１７】
図４は第２実施例と第３実施例とを、一つの図面に示したものである。即ち、この図４に示した容器Ａは、容器本体１における各仕切り１２で区切られた１０個の鶏卵収容凹部１１と同様に、蓋体２にも仕切り部２２で仕切られた鶏卵の上半部を個々に覆う１０個の鶏卵覆い凹部２１を形成してある容器であって、第２実施例は、前記第１実施例に示した前記特徴マークＭと同じマークＭを、蓋体２における遊端側の接合縁４ｂに、同接合縁４ｂの長手方向に沿って全長に亘って多数連続印刷してある構成としたものである。また、第３実施例は、この図示容器Ａにおけるヒンジ部３に、同様のマークＭを、このヒンジ部３の長手方向に沿って全長に亘って多数連続印刷してある構成としたものである。これらのマークＭの表示は、前記接合縁４ｂとヒンジ部３との両方に印刷形成してあるものとしてもよい。
【手続補正４】
【補正対象書類名】図面
【補正対象項目名】全図
【補正方法】変更
【補正の内容】
【図１】
0003156630.tif 000004
【図２】
0003156630.tif 000005
【図３】
0003156630.tif 000006
【図４】
0003156630.tif 000007
【図５】
0003156630.tif 000008
【図６】
0003156630.tif 000009